【事件の表示】
　特願２００７−　７８５６６「接続構造」拒絶査定不服審判事件〔平成２０年１０月　９日出願公開、特開２００８−２４０２５８〕について、次のとおり審決する。
【結　論】
　本件審判の請求は、成り立たない。
【理　由】
１．手続の経緯
　本願は、平成１９年３月２６日の出願であって、平成２３年１２月２２日付けで拒絶理由通知が通知され、平成２４年２月２７日に意見書が提出されるとともに手続補正がなされ、平成２４年１０月２日付けで拒絶理由通知（最後）が通知され、平成２４年１１月１５日に意見書が提出されるとともに手続補正がなされ、平成２５年５月２４日付けで平成２４年１１月１５日付け手続補正書でした補正の却下決定とともに、拒絶査定がされ、これに対して平成２５年９月３日に拒絶査定不服審判が請求されると同時に手続補正が提出され、その後当審において、平成２６年１０月３０日付けで拒絶の理由（以下、「当審拒絶理由」という。）が通知され、平成２７年１月８日に手続補正書及び意見書が提出されたものである。
　
　
２．本願発明
　本願の特許請求の範囲の請求項１ないし８に係る発明は、平成２７年１月８日付けの手続補正書により補正された特許請求の範囲の請求項１ないし８に記載された事項により特定されるとおりのものであるところ、その請求項１に係る発明（以下、「本願発明」という。）は次のとおりのものである。
　
「排水を貯水する槽体１と、
槽体１に開口された槽体１内の排水を外部に排出する排水口２と、
排水口２裏面に取り付けられて下流の排水管と接続して槽体１内の排水を下流へと排出する排水器具４と、
から構成される接続構造において、
前記排水口２の裏面に形成された肉厚部７にねじ孔６を適宜箇所に構成し、尚かつ排水器具４にもねじ孔６を開口して、両者を排水口２裏面側からねじ止めにて接続し、
前記排水器具４の上端面に、排水口２の裏面のねじ孔６と排水器具４のねじ孔６同士が合致するまで位置決めを行う為の位置決め用ガイド８を凸設するとともに、
排水口２のねじ孔６と、排水器具４のねじ孔６とが当接する面の略同一面上に、水密部材を配置し、
前記位置決め用ガイド８の高さ幅は前記肉厚部７の高さ幅より小さく形成されていることを特徴とする接続構造。」
　
  　
３．引用例
　当審拒絶理由で引用された、本願の出願前に頒布された刊行物である特開２００２−２６６４０３号（以下、「引用例１」という。）には、図面と共に次の事項が記載されている。
　
（１）【０００２】
　　【従来の技術】
　従来は、図8に示すように洗面ボウル80の排水孔部81に段部を備え、段部にパッキン82を介して排水器具83上端のフランジ部84が排水孔部上面と略面一に配置され、排水栓ナット85を排水器具83の外周に設けられたおねじに締め付けることで排水器具83上端のフランジ部84をパッキン82に押し付けるようにしていた。排水器具83本体に上下動可能な排水弁86を備えるようにした場合は、排水弁86が排水器具83のフランジ部84の内周面に接触することで止水状態となり、フランジ部86から離れた高い位置に上昇させることで排水状態となるものである。排水弁86を上下動させる手段としては鋼線を操作することによって上下動することが知られている。」
（２)「【０００７】
　本発明の好ましい態様として、洗面ボウル底面部の裏面側の排水孔下端面を止水部とし、洗面ボウル底面部の裏面方向から排水孔下端面に当接する排水器具で構成してなる洗面ボウルと排水器具の接続構造を提供する。
　上述の接続構造により、洗面ボウルと排水器具の接続面に残水や水垢などの汚れが溜まりにくい接続構造をとることができる。」
（３）「【００１０】
　　【発明の実施の形態】
　以下に図面を参照して本発明をより具体的に説明する。
　洗面ボウル10は、陶器或いは人工大理石或いはステンレスの成形品からなるもので、洗面ボウル10裏面の排水孔部11の周辺部にインサートナット12を予め3個以上埋設している。予め成形の際に埋設できない場合は、後から接着、又はステンレスの場合は溶接によってナット12を洗面ボウル10裏面の排水孔部11の周辺部に取付けてもよい。排水孔部11の上部内周から下部内周へは、上部から下部へ向けて順次径が小さくなるような傾斜面となっており、排水孔部11の下端面19は、排水孔中心線18が法線となる平面である。
　　　【００１１】
　排水器具13は、筒状の本体と本体下部に排水管をねじ込んで連結できるためのおねじ17を形成し、本体内面に排水管を詰まらせるような大きなゴミや髪の毛を捕獲できる十字状の目皿15と本体上部にねじ14を貫通し洗面ボウル10に埋設されているインサートナット12と締結できる大きさの穴20を設けている。排水孔部11の下端面19と当接する部分の排水器具13の内径は、当接時に排水孔部11の下端面19の径と略同径としている。
　　　【００１２】
　洗面ボウル10の排水孔部11の下端面19と排水器具13の上端面を水密に繋げる為に、排水器具13を構成する上面にリング状のパッキン16を介在させて洗面ボウル10と排水器具13をねじ14で締結した際に排水孔部11の下端面19と圧接するように構成してあり、排水器具13は、排水孔部11の下端面19よりも上方の排水通路内に突出することなく下端面19を止水部として構成されている。もちろん、図３にあるように排水孔部30の下端面の角部にパッキン31を圧着させて止水しても良い。」
　
（４）「【００１４】
　また、洗面ボウル50の排水孔部51の下端面にインサートナットを配置して、洗面ボウル50と排水器具53の接合面と水密面を同一面としてパッキン54を介在させてなる構成としてもよい。」
　
（５）図５には、洗面ボウル裏面の排水孔部の裏面に肉厚部が形成され、この肉厚部の下端面にインサートナットを配置することが開示されている。
　
　これらの記載事項を総合すると、引用例１には以下の発明（以下、「引用発明」という。）が記載されている。 
 　 
「洗面ボウルと、
洗面ボウル裏面の排水孔部と、
排水孔部の下端面に繋げられ、筒状の本体下部に排水管をねじ込んで連結する排水器具と、
からなる接続構造において、
洗面ボウルの排水孔部裏面に形成された肉厚部の下端面にインサートナットを３個以上配置し、排水器具の筒状の本体上部に排水器具側からねじを貫通し、洗面ボウルの排水孔部裏面に形成された肉厚部の下端面に埋設されているインサートナットと締結できる大きさの穴を設け、洗面ボウルと排水器具をねじで締結し、
洗面ボウルと排水器具の接合面と水密面を同一面としてパッキンを介在させてなる接続構造。」
　
　
４．対比
　本願発明と引用発明とを対比する。
（１）引用例１の上記記載事項（１）には「排水器具83本体に上下動可能な排水弁86を備えるようにした場合は、排水弁86が排水器具83のフランジ部84の内周面に接触することで止水状態となり、フランジ部86から離れた高い位置に上昇させることで排水状態となるものである。」と記載されている。
　そうすると、引用発明の「洗面ボウル」は、排水弁を用いて、蛇口から排出される水を止水して溜める構造のものも意図すると解されるから、本願発明の「排水を貯水する槽体１」に相当し、
以下同様に、「洗面ボウル裏面の排水孔部」は、「槽体１に開口された槽体１内の排水を外部に排出する排水口２」に、
「排水孔部の下端面」は、「排水口２裏面」に、
「筒状の本体下部に」「ねじ込んで連結」される「排水管」は、「下流の排水管」に、
「排水器具」は、「槽体１内の排水を下流へと排出する排水器具４」に、
「洗面ボウルの排水孔部裏面に形成された肉厚部」は、「排水口２の裏面に形成された肉厚部７」に、
「洗面ボウルの排水孔部裏面に形成された肉厚部の下端面」に「３個以上配置」される「インサートナット」は、「前記排水口２の裏面にに形成された肉厚部７に」「適宜箇所に構成」された「ねじ孔６」に、
「排水器具の筒状の本体上部に」設けられた「穴」は、「排水器具４」にも「開口」した「ねじ孔６」に、
「排水器具側からねじを貫通」することは、「排水口２裏面側からねじ止め」することに、
「洗面ボウルと排水器具をねじで締結」することは、「両者を」「ねじ止めにて接続」することに、
「洗面ボウルと排水器具の接合面」は、「排水口２のねじ孔６と、排水器具４のねじ孔６とが当接する面」に、
「パッキン」は、「水密部材」に相当する。
　
（２）そうすると、両者は、
「排水を貯水する槽体１と、
槽体１に開口された槽体１内の排水を外部に排出する排水口２と、
排水口２裏面に取り付けられて下流の排水管と接続して槽体１内の排水を下流へと排出する排水器具４と、
から構成される接続構造において、
前記排水口２の裏面に形成された肉厚部７にねじ孔６を適宜箇所に構成し、尚かつ排水器具４にもねじ孔６を開口して、両者を排水口２裏面側からねじ止めにて接続し、
排水口２のねじ孔６と、排水器具４のねじ孔６とが当接する面の略同一面上に、水密部材を配置した接続構造。」
である点で一致しており、次の点で相違する。
　
（相違点）
　本願発明では、排水器具４の上端面に、排水口２の裏面のねじ孔６と排水器具４のねじ孔６同士が合致するまで位置決めを行う為の位置決め用ガイド８を凸設するとともに、位置決め用ガイド８の高さ幅が肉厚部７の高さ幅より小さく形成されているのに対し、引用発明においてはそのような位置決め用ガイドを備えていない点。
　
　
５．判断
　上記相違点について検討する。
（１）２つの部材を接続する構造において、各部材に設けられたねじ孔同士を位置合わせするために、一方の部材の鍔部の上端面（本願発明の「排水器具４の上端面」と対応する箇所）に、他方の部材側へ突出するガイド片（本願発明の「ねじ孔６同士が合致するまで位置決めを行う為の位置決め用ガイド８」に対応する箇所）を設けることは、本願出願日前に周知である（以下「周知技術」という。）
　例えば、当審拒絶理由で引用された、本願の出願前に頒布された刊行物である実願昭５８−４２６２１号（実開昭５９−１４７９８３号）のマイクロフィルム（以下、「引用例２」という。）には、「以上のように構成された配管継手を使用して固定配管３，４と接続配管１とを接続する場合には、まず、接続配管１をマニピユレータ２Ｂで保持して、固定配管３，４に接近させ、フランジ８のガイド片１４とフランジ７の切欠部１１とを係合させることにより、両フランジ７，８を同心状に位置合わせするとともに、ボルト孔１３とめねじ１０との位置合わせ、すなわち、フランジ７，８の周方向への相互位置の調整が行なわれる。」（第４頁第６−１４行）と記載されている。
　また、当審拒絶理由で引用された、本願の出願前に頒布された刊行物である特開２００２−２３５８８１号公報（以下、「引用例３」という。）には、「【００３１】このフランジ１とパッキン２とを用いてフランジ接続を行う場合には、パッキン２の係止鍔２４を、接続される一方のフランジ１の鍔部外周側面１２１に被せるようにして装着し、パッキン２を手で回してパッキン２の凸状畦２５又は凹状溝とフランジ鍔部外周側面１２１の凹状溝１４又は凸状畦に噛み合わせると、フランジ１のボルト孔１１とパッキン２のボルト孔２１とが正確に一致する。」と記載されている。
　
（２）一方、引用発明においては、ねじとインサートナットを締結する際に、ねじとインサートナットの位置合わせ作業が必要なことは自明であり、建築分野において、容易に作業できることは一般的要求である。
　
（３）そうすると、引用発明において、ねじとインサートナットを締結する際に、ねじとインサートナットの位置合わせを簡単に行うために、相互接続する部材の一方の部材である排水器具の本体上部端面に、前記周知のガイド片を洗面ボウル側へ突出するように設けることは、当業者が容易に想到し得たことである。
　さらに引用発明の洗面ボウルと排水器具の接続は、隙間なく行わなければならないことは自明のことであり、ガイド片を設けたとしてもそのことはかわらないので、ガイド片を不要な干渉の生じない形態とすること、すなわち、ガイド片の高さ幅を肉厚部の高さ幅より小さくすることは当然のことである。
　
（３）また、本願発明の作用効果は、引用発明及び周知技術の奏する作用効果から予測される範囲内のものにすぎず、格別なものではない。
　
（４）よって、本願発明は、引用発明及び周知技術に基づいて、当業者が容易に発明をすることができたものである。 
　
　
６．むすび
　以上のとおり、本願発明は特許法第２９条第２項の規定により特許を受けることができない。 
　したがって、その余の請求項について論及するまでもなく、本願は拒絶すべきものである。 
　よって、結論のとおり審決する。